(57)【特許請求の範囲】
【請求項１】
液晶表示パネルと、
前記液晶表示パネルに光源を供給する、曲がった部分である連結部を有する少なくとも１つのランプを含むバックライトユニットと、
前記液晶表示パネルと前記バックライトユニットとを一緒に収容するサポートメインとを含み、前記サポートメインは、組み立てられた前記バックライトユニットの導光板の水平方向の流動を防止する第１及び第２流動防止部と、前記導光板の垂直方向の流動を防止する第３流動防止部を具備し、
前記第１流動防止部又は前記第２流動防止部が、前記ランプの前記連結部と接触する部分において流線型に形成される、液晶表示装置。
【請求項２】
前記バックライトユニットは、光学シート、導光板、反射シートを更に含むことを特徴とする請求項１に記載の液晶表示装置。
【請求項３】
前記第１及び第２流動防止部と第３流動防止部は、前記サポートメインの内側角領域にそれぞれ形成されたことを特徴とする請求項１に記載の液晶表示装置。
【請求項４】
前記導光板の水平方向流動を防止する前記第１及び第２流動防止部の中の何れか一つはランプの連結部を支持する役目をすることを特徴とする請求項３に記載の液晶表示装置。
【請求項５】
前記ランプは前記サポートメイン端周囲に配置され、形態は直角形状、枡形状、及び四角形状の中の何れか一つであることを特徴とする請求項１に記載の液晶表示装置。
【請求項６】
前記サポートメイン内側端領域にはランプが組み立てられるようにランプ締結ホームが形成されたことを特徴とする請求項１に記載の液晶表示装置。
【請求項７】
前記ランプ締結ホームの端領域にはケーブルとの接続のためのケーブル連結ホームが形成されたことを特徴とする請求項６に記載の液晶表示装置。
【請求項８】
前記サポートメイン内側端領域にはバックライトユニットの反射シートを固定するように側面突出部が形成されたことを特徴とする請求項１に記載の液晶表示装置。
【請求項９】
前記側面突出部は、前記ランプが配置される領域と対応されるサポートメイン内側端に形成されていることを特徴とする請求項８に記載の液晶表示装置。
【請求項１０】
前記サポートメインはＰＣ（Ｐｏｌｙｃａｒｂｏｎａｔｅ）材質により形成されたことを特徴とする請求項１に記載の液晶表示装置。
【請求項１１】
導光板の水平方向の流動を防止する第１及び第２流動防止部と、前記導光板の垂直方向の流動を防止する第３流動防止部とを具備したサポートメインを提供する段階、
前記サポートメイン内側の反射シート上に前記導光板を締結する段階、及び
前記サポートメイン内側の導光板上部に液晶表示パネルを組み立てる段階を含み、
前記第１流動防止部又は前記第２流動防止部が、前記反射シートに締結されたランプの連結部であって、曲がった部分である前記連結部に接触する部分において流線型に形成される、液晶表示装置の製造方法。
【請求項１２】
反射シートにランプを締結する段階を更に含むことを特徴とする請求項１１に記載の液晶表示装置の製造方法。
【請求項１３】
前記ランプが締結された反射シートを前記サポートメインに締結する段階を更に含むことを特徴とする請求項１２に記載の液晶表示装置の製造方法。
【請求項１４】
前記第１及び第２流動防止部と第３流動防止部は、前記サポートメインの内側角領域にそれぞれ形成されることを特徴とする請求項１１に記載の液晶表示装置の製造方法。
【請求項１５】
前記導光板の水平方向流動を防止する前記第１及び第２流動防止部の中の何れか一つはランプの連結部を支持する役目をすることを特徴とする請求項１４に記載の液晶表示装置の製造方法。
【請求項１６】
前記ランプは前記サポートメイン端周囲に配置され、形態は直角形状、枡形状、及び四角形状の中の何れか一つであることを特徴とする請求項１１に記載の液晶表示装置の製造方法。
【請求項１７】
前記サポートメイン内側端領域にはランプが組み立てられるようにランプ締結ホームが形成されることを特徴とする請求項１１に記載の液晶表示装置の製造方法。
【請求項１８】
前記ランプ締結ホームの端領域にはケーブルとの接続のためのケーブル連結ホームが形成されることを特徴とする請求項１７に記載の液晶表示装置の製造方法。
【請求項１９】
前記サポートメイン内側端領域にはバックライトユニットの反射シートを固定するように側面突出部が形成されることを特徴とする請求項１１に記載の液晶表示装置の製造方法。
【請求項２０】
前記側面突出部は前記ランプが配置される領域と対応されるサポートメイン内側端に形成されることを特徴とする請求項１９に記載の液晶表示装置の製造方法。
【請求項２１】
前記サポートメインはＰＣ（Ｐｏｌｙｃａｒｂｏｎａｔｅ）材質により形成されることを特徴とする請求項１１に記載の液晶表示装置の製造方法。
【発明の詳細な説明】
【技術分野】
【０００１】
本発明は液晶表示装置に係り、特に下部カバーとパネルガイドの役割ができる一体型サポートメインを形成して組み立て性を向上させて製造単価を減らすことができる液晶表示装置及びその製造方法に関する。
【背景技術】
【０００２】
最近になって急速な発展を重ねている液晶表示装置は小型化、軽量化になりながら性能はより力強くなった製品等が生産されている。今まで情報ディスプレー装置に広く使われているCRTが性能や価格面で多くの長所を持っているが、小型化または携帯性の面では多くの短所がある。
【０００３】
これに反して,液晶表示装置は小型化、軽量化、低電力消費化などの長所を持っていてCRTの短所を克服することができる一体手段で徐々に注目されて来た。現在はディスプレー装置を要することのすべての情報処理機器に装着されている。
【０００４】
図1は従来技術による液晶表示装置の構造を図示した分解斜視図で、図2は従来技術による液晶表示装置の組み立て断面図である。
図1及び図2に図示されたところのように、液晶表示装置は映像をディスプレーする液晶表示パネル(3)と、液晶表示パネル(3)に平面光を照射するバックライトユニット(20)とバックライトユニット(20)が収納された下部カバー(9)と、液晶表示パネル(3)を固定するパネルガイド(5)と、下部カバー(9)に締結されるトップケース(1)で構成されている。
【０００５】
液晶表示パネル(3)は画素電極と薄膜トランジスタ(以下、「TFT」とする。)が形成されたTFT基板(3b)とカラーフィルター層が形成されたカラーフィルター基板(3a)が液晶層(未図示)を間に置いて合着されていて、液晶パネル(3)の外側にはそれぞれ上部偏光板(11a)と下部偏光板(11b)がそれぞれ付着されている。
【０００６】
バックライトユニット(20)は下部カバー(9)内側に導光板(15)、ランプ(13)、光学シート(21)及び反射シート(18)で構成されている。
【０００７】
上記のような構造を持つ液晶表示装置モデルはランプ(13)を固定するランプハウジングが別に具備されず、反射シート(18)の端を折りたたんでランプ(13)を固定する。
【０００８】
又は、ランプ(13)は液晶表示パネル(5)の周りの4角周囲に全部配置されることができるか、或いは、ある二つの角領域と対応される領域にだけランプ(13)が配置されることもできる。
【０００９】
このように配置されたランプ(13)から発生された光は導光板(15)の側面に入射されて面光源に変換されて液晶表示パネル(5)に供給される。
【００１０】
このように、液晶表示パネル(5)とバックライトユニット(20)が組み立てられ、液晶表示パネル(5)をカバーするようにトップケース(1)が締結される。尚、参照符号17はトップケースを支持する支持パッドである。
【００１１】
しかし、従来技術による液晶表示装置は下部カバー(9)内側にバックライトユニット(20)を順に収納した後、液晶パネル(3)を組み立てる時には別途製作されたパネルガイド(5)を使用しなければならないため組み立て工程が複雑になる等の短所がある。
【００１２】
又、パネルガイド(5)を使うことによって液晶表示装置のスリム化に限界があり、パネルガイド(5)を別途の部品で製造しなければならないため製造単価が上昇する問題がある。
【発明の開示】
【発明が解決しようとする課題】
【００１３】
本発明はパネルガイドと下部カバーの機能を統合したサポートメインを製造することで、組み立て性を向上させてスリム化及び製造単価を減らすことができる液晶表示装置及びその製造方法を提供することにその目的がある。
【課題を解決するための手段】
【００１４】
本発明の液晶表示装置は、液晶表示パネルと、前記液晶表示パネルに光源を供給するためのバックライトユニット、及び前記液晶表示パネルと、バックライトユニットとともに組み立てられるように一体に形成されて、組み立てられた前記バックライトユニットの光学シートと導光板の水平方向流動防止のための第1及び第2流動防止部と、垂直方向流動防止のための第3流動防止部を具備したサポートメインを含む。
【００１５】
本発明による液晶表示装置の製造方法は、第1及び第2流動防止部と第3流動防止部とを具備したサポートメインを提供する段階、前記サポートメイン内側の反射シート上に導光板を締結する段階、及び前記サポートメイン内側の導光板上部に液晶表示パネルを組み立てる段階を含む。
【発明の効果】
【００１６】
このように、本発明では従来液晶表示パネルを固定したパネルガイドと下部カバー機能ができるように新しいサポートメイン構造を提案することで,組み立て工程を単純化して生産費を節減するようにした。
以上で詳細に説明されたところのように、本発明は従来パネルガイドと下部カバーの機能を統合したサポートメインを製造することで、組み立て性を向上させる効果がある。
同時に、部品単純化で液晶表示装置をスリム化で製作することができるし製造単価も減らすことができる効果がある。
【００１７】
本発明は前記した実施例に限定されないで、以下請求範囲で請求する本発明の要旨を脱することなしに当該発明が属する分野で通常の知識を持った者なら誰でも多様な変更実施が可能なはずである。
【発明を実施するための最良の形態】
【００１８】
以下、添付した図面に基づいて本発明の実施例を詳細に説明する。
【００１９】
図3は本発明による液晶表示装置の構造を図示した分解斜視図である。
図3に図示されたところのように、本発明の液晶表示装置(100)は液晶表示パネル(103)と、液晶表示パネル(103)に平面光を供給するバックライトユニット(120)と、液晶表示パネル(103)とバックライトユニット(120)を収納するサポートメイン(150)と、液晶表示パネル(103)とバックライトユニット(120)をカバーするトップケース(101)で構成されている。
【００２０】
サポートメイン(150)は液晶表示パネル(103)と光学シート(121)、導光板(115)、ランプ(113)、反射シート(118)で構成されたバックライトユニット(120)を収納して固定する構成になっている。又、ランプ(113)と導光板(115)を固定することができる固定領域等が形成されている。
【００２１】
従って、本発明ではサポートメイン(150)内側に液晶表示パネル(103)とバックライトユニット(120)等を収納した後、直ちにトップケース(101)を締結することで、液晶表示装置の組み立て工程が完了する。
【００２２】
又、液晶表示パネル(103)を固定させるための追加的なパネルガイドが必要なく製造単価を減らすことができる利点がある。
【００２３】
以下、図面を参照して液晶パネル(103)とバックライトユニット(120)がサポートメイン(150)内側に組み立てられる過程を詳細に説明する。
【００２４】
図4は本発明による液晶表示装置の組み立て断面図である。
図4に図示されたところのように、本発明の液晶表示装置はサポートメイン(150)内側にバックライトユニット(120)と液晶表示パネル(103)が一緒に収納されていて、トップケース(101)とサポートメイン(150)が締結されて液晶表示パネル(103)とバックライトユニット(120)を同時に固定させている。
【００２５】
サポートメイン(150)端両側にはバックライトユニット(120)の反射シート(118)がランプ(113)を固定するために折られる部分を支持し、ランプ(113)が一緒にサポートメイン(150)内側に組み立てられる時、組み立てが容易なであるように複数個の側面突出部(160)が形成されている。
【００２６】
側面突出部(160)が不連続的に形成される場合にはサポートメイン(150)の内側角に付いて多数個形成されるが、連続的に形成されることができる。
【００２７】
上記のように反射シート(118)がランプ(113)と一緒に組み立てられサポートメイン(150)中心領域には平面光を作るための導光板(115)が締結されて導光板(115)上側には複数個の光学シート(121)が組み立てられる。
【００２８】
このように、バックライトユニット(120)がサポートメイン(150)内側に組み立てられ、サポートメイン(150)上部には液晶表示パネル(103)が組み立てられ、次いで、液晶表示パネル(103)をカバーするためにトップケース(101)が締結される。尚、参照符号117はトップケースがしなうことを防止するための支持パッドである。
【００２９】
液晶表示パネル(103)はカラーフィルター層が形成されたカラーフィルター基板(103a)とTFTが形成された TFT基板(103b)と液晶層(未図示)を間に置いて合着された構造になっていて、カラーフィルター基板(103a)の外側面には上部偏光板(111a)が付着していて、TFT基板(103b)の外側面には下部偏光板(111b)が付着している。
【００３０】
又は、サポートメイン(150)は液晶表示パネル(103)を固定するパネルガイドとバックライトユニット(120)を収納する下部カバーの役目をするためプレス金型よりはパネルガイド製造に使われるPC(Polycarbonate)材質で形成する。
【００３１】
図5は本発明によるサポートメインの構造を図示した平面図で、図6a乃至図6dは図5のA、B、C、D領域をそれぞれ拡大した図面である。
図5と図6a乃至図6dを参照して詳細に説明すれば次のようである。
【００３２】
本発明によるサポートメイン(150)は内側端周囲に沿ってランプを締結するためのランプ締結ホーム(165)が形成されている。ランプ締結ホーム(165)は、サポートメイン(150)内側に組み立てられるランプ数によってランプ締結ホーム(165)がサポートメイン(150)端周囲の全領域に形成されるか、又は、一側領域にだけ形成されることができる。
【００３３】
例えば、サポートメイン(150)内側に4個のランプが締結される場合にはサポートメイン(165)の内側4角によってランプ締結ホーム(165)を形成して,二つのランプが締結される場合にはそのランプが締結される領域にランプ締結ホーム(165)を形成することができる。
【００３４】
よって、サポートメイン(150)の内側に形成されるランプ締結ホーム(165)は締結されるランプの個数に対応される位置に形成されて、同時にランプの位置によってサポートメイン(150)の内側角中に接した角領域に連続して形成するか、又は、お互いに離れるように形成することができる。
【００３５】
ランプ締結ホーム(165)の両側端には直角形状でケーブル連結ホーム(161)が形成され、これはランプとランプを電源供給ケーブルで連結させるための空間である。
【００３６】
ケーブル連結ホーム(161)は反射シートと一緒にランプがランプ締結ホーム(165)に締結される時、ランプ流動を防止する役割もする。
【００３７】
又は、ランプ締結ホーム(165)にはランプを固定する反射シートが容易に締結されることができるように側面突出部(160)を複数個形成するか、又は、ランプ締結ホーム(165)とそろって並んでいるように形成する。
【００３８】
これはランプが反射シートの端に固定された状態で斜めにサポートメイン(150)に挿入されて組み立てられる時、組み立てが容易にできるようにするためである。
【００３９】
サポートメイン(150)の内側角領域にはそれぞれ第1流動防止部(200)、第2流動防止部(230、240)、第3流動防止部(220)が形成されている。
第1流動防止部(200)と第2流動防止部(230、240)はサポートメイン(150)に組み立てられる導光板(115)のXY平面方向の流動を防止する役割をし、第3流動防止部(220)は導光板(115)がZ側方向(導光板に垂直の方向)の流動を防止するためである。
【００４０】
よって、導光板(115)の角領域の中で第1流動防止部(200)と第2流動防止部(230、240)が対応される領域は第1流動防止部(200)、第2流動防止部(230、240)と突き合わせて組み立てられることができるようにパターン処理されている。
特に、第1流動防止部(200)は、導光板(115)と触れ合う部分と反対になる面にランプの連結部と触れ合うため流線形に形成されている。
【００４１】
よって、サポートメイン(115)の4角に全部ランプが締結される場合には第1流動防止部(200)、第2流動防止部(230、240)、第3流動防止部(220)と触れ合う面を流線形で形成する。
【００４２】
本発明のサポートメイン(115)は液晶表示パネルを固定するパネルガイドの役割をしながらバックライトユニットの導光板が水平方向と垂直方向に流動されないように流動防止部をそれぞれの角領域に形成した。
【００４３】
図7は本発明によるサポートメインにランプが締結された構造を図示した平面図で、図8と図9はそれぞれ図7のE領域を拡大した図面と図7のF領域を拡大した図面である。
図7、図8及び図9に図示されたところのように、サポートメイン(150)の角領域に形成されたランプ締結ホーム(165)内側にランプ(113)が締結されていて、ランプ(113)の端領域では接地部(272)が形成されていてケーブル(270)と電気的に連結されている。
【００４４】
接地部(272)はケーブル連結ホーム(161)領域に配置され、ランプの一側端子(129)とケーブル(270)が挿入されてお互いに電気的に連結される構造になっている。
【００４５】
ケーブル連結ホーム(161)領域に形成された第2流動防止部(230)はサポートメイン(150)内側に組み立てられる導光板(115)の一側角と締結されるように触れ合っていて水平方向の流動を防止することができる。
【００４６】
ランプ(113)は反射シート(118)によって覆いかぶされながらランプ締結ホーム(165)に組み立てられていて、反射シート(118)の一側面にはサポートメイン(150)に形成された側面突出部(160)に組み立てられている。
【００４７】
又は、サポートメイン(150)に形成された第1流動防止部(200)は導光板(115)の角一側と触れ合って水平方向の流動を防止させながら他側面はランプ(113)の連結部(260)と触れ合ってランプ(113)が角領域で流動及び損傷なしに締結されることができるようにした。
【００４８】
図10は図7のＩ-Ｉ'線に沿って切断した断面図で、図11は図7のII-II'線に沿って切断した断面図である。
図10及び図11に図示されたところのように、サポートメイン(150)内側に反射シート(118)がランプ(113)を固定させながら組み立てられていて、反射シート(118)上には導光板(115)が置かれている。
【００４９】
ランプ(113)が固定された領域のサポートメイン(150)内側には側面突出部(160)が形成されていて、反射シート(118)が容易に組み立てられるようにした。
反射シート(118)はランプ(113)を固定する部分で枡形状で折れた構造になっていて、折りたたんだ領域内側にランプ(113)が配置されている。
よって、ランプ(113)で発生された光が反射シート(118)で反射して導光板(115)領域で進行するようにするため光の漏泄を防止することができる。
又は、第3流動防止部(220)が形成されているサポートメイン(150)角領域では反射シート(118)上に導光板(115)が置かれた状態で第3流動防止部(220)の角内側に挿入されている。
【００５０】
第3流動防止部(220)は導光板(115)の一側角領域を上下方向に固定させる役割をしているため導光板(115)が水平方向に流動することを防止しながら上下方向に流動することを防止させることができる効果がある。
【００５１】
図12は本発明によるサポートメインにランプと反射板が組み立てられる形態を図示した斜視図で、図13乃至図15は図12のG、H、I領域をそれぞれ拡大した図面である。
図12と図13乃至図15に図示されたところのように、直角形状のランプ(113)は反射シート(118)に囲まれた状態でサポートメイン(150)内側に締結される。
【００５２】
図面ではランプ(113)の構造が直角形状を持つ場合の例で説明したが、枡形状又は四角形状のランプである場合にも同じ方式で適用することができる。
【００５３】
ランプ(113)の両側端にはケーブルとランプ電源端子を電気的に連結させるための接地部(272)が配置されている。接地部(272)内側には導電性ペイスト（ｐａｓｔｅ）(未図示)があってランプケーブルの端子トランプ端子が接地部(272)に締結されることだけでランプ(113)とケーブルが電気的に連結される。
【００５４】
サポートメイン(150)内側角領域には第1流動防止部(200)、第2流動防止部(230、240)、第3流動防止部(220)が形成されていて、ランプ(113)と締結されている接地部(272)が締結されることができるようにケーブル連結ホーム(161)が形成されている。
【００５５】
又は、ランプ(113)が組み立てられることができるようにサポートメイン(150)の端領域にはランプ締結ホーム(165)が形成されていて組み立て空間を確保した。
【００５６】
又は、第1流動防止部(200)は一側がランプの連結部(260)と触れ合いながら他側は組み立てられた導光板が水平方向に流動しないように支持する役割をするため反射シート(118)にホール(200a)を形成して第2流動防止部(200)が反射シート(118)の外側に突出されることができるようにした。
【００５７】
具体的には、ランプ(113)、反射シート(118)及びサポートメイン(150)の締結形態を見ればG領域では接地部(272)がサポートメイン(150)上に形成されたケーブル連結ホーム(161)に対応され組み立てられて、ランプ(113)はサポートメイン(150)端領域に確保されたランプ締結ホーム(165)に組み立てられる。
【００５８】
H領域ではランプ(113)の連結部(260)がサポートメイン(150)の角部分と第1流動防止部(200)の間に組み立てられるが、第1流動防止部(200)が反射シート(118)上に形成されたホール(200a)に挿入されて反射シート(118)外側に突出されるようにして、以後に組み立てられる導光板を支持するようにした。
【００５９】
I領域ではランプ(113)端に配置された接地部(272)がサポートメイン(150)上に形成されたケーブル連結ホーム(161)に組み立てられて、ケーブル連結ホーム(161)領域に形成された第2流動防止部(240)が以後組み立てられる導光板を支持するようにした。
【００６０】
G領域と同じようにランプ(113)はサポートメイン(150)に形成されたランプ締結ホーム(165)に組み立てられる。
【図面の簡単な説明】
【００６１】
【図１】従来技術による液晶表示装置の構造を図示した分解斜視図。
【図２】従来技術による液晶表示装置の組み立て断面図。
【図３】本発明による液晶表示装置の構造を図示した分解斜視図。
【図４】本発明による液晶表示装置の組み立て断面図。
【図５】本発明によるサポートメインの構造を図示した平面図。
【図６ａ】図５のA領域を拡大した図面。
【図６ｂ】前記図５のB領域を拡大した図面。
【図６ｃ】前記図５のC領域を拡大した図面。
【図６ｄ】前記図５のD領域を拡大した図面。
【図７】本発明によるサポートメインにランプが締結された構造を図示した平面図。
【図８】図７のE領域を拡大した図面。
【図９】図７のF領域を拡大した図面。
【図１０】図７のＩ-Ｉ'線に沿って切断した断面図。
【図１１】図７のII-II'線に沿って切断した断面図。
【図１２】本発明によるサポートメインにランプと反射板が組み立てられる形態を図示した斜視図。
【図１３】図１２のG領域を拡大した図面。
【図１４】前記図１２のH領域を拡大した図面。
【図１５】前記図１２のI領域を拡大した図面。
【符号の説明】
【００６２】
101：トップケース
103：液晶パネル
113：ランプ
115：導光板
118：反射シート
120：バックライトユニット
150：サポートメイン
160：側面突出部
200：第1流動防止部
230、240：第2流動防止部
220：第3流動防止部
【図１】
0004481977.tif 000002
【図２】
0004481977.tif 000003
【図３】
0004481977.tif 000004
【図４】
0004481977.tif 000005
【図５】
0004481977.tif 000006
【図６ａ】
0004481977.tif 000007
【図６ｂ】
0004481977.tif 000008
【図６ｃ】
0004481977.tif 000009
【図６ｄ】
0004481977.tif 000010
【図７】
0004481977.tif 000011
【図８】
0004481977.tif 000012
【図９】
0004481977.tif 000013
【図１０】
0004481977.tif 000014
【図１１】
0004481977.tif 000015
【図１２】
0004481977.tif 000016
【図１３】
0004481977.tif 000017
【図１４】
0004481977.tif 000018
【図１５】
0004481977.tif 000019